【事件の表示】
　特願２００２−　６２６１８「著作権情報が書込まれた書込み媒体、書込み装置及びその書込み方法」拒絶査定不服審判事件〔平成１４年１２月１３日出願公開、特開２００２−３５８７６５〕について、次のとおり審決する。
【結　論】
　本件審判の請求は、成り立たない。
【理　由】
１．手続の経緯・本願発明　
 　本件審判の請求に係る特許出願（以下「本願」という。）は、平成１４年３月７日（パリ条約による優先権主張２００１年３月８日、韓国）に特許出願されたものであって、平成１６年１２月１４日付けで拒絶査定がなされたところ、平成１７年４月１日付けで拒絶査定不服の審判請求がなされたものである。そして、本願の発明は、平成１６年１１月８日付け手続補正書によって補正された明細書の特許請求の範囲の請求項１−２０に記載された事項により特定されるものと認められるところ、その請求項１、６に係る発明は次のとおりのものである。 
　
「【請求項１】　少なくとも一つのオリジナルコンテンツに基づいて製作されたリメークコンテンツと、
　前記オリジナルコンテンツに対するオリジナル著作権情報と、
　前記リメークコンテンツを用いるための権限を示すリメーク著作権情報とを含むことを特徴とする書込み媒体。
【請求項６】　前記リメークコンテンツは、オーディオデータが収容された少なくとも一つのオーディオパケットに書込まれ、
　前記オリジナル著作権情報及び前記リメーク著作権情報は前記リメークコンテンツに対するヘッダ情報を含むプライベートヘッダに書込まれることを特徴とする請求項１に記載の書込み媒体。（以下「本願発明」という。）」
　
２．刊行物及びその記載　
　原査定の拒絶の理由で引用された刊行物である特開平８−２２７４３４号公報（以下「刊行物１」という。）には、著作物管理装置及びその著作物管理方法について、図面とともに以下の記載がある。（なお、下線は当審で付与した。） 
  (１) 「【００３４】
この装置は、再生媒体（１）から再生した既存のディジタル著作物又は、創作したディジタル著作物を入力ソースとし、これに改変を加えて新たな著作物を制作し、記録媒体（１３）に記録する。
【００３５】再生媒体（１）から再生されるデータと記録媒体（１３）に記録されるデータは、図２に示すように著作物データの単位ごとに著作権情報を示す著作権ヘッダが、存在するものとする。
この著作物データの単位とは、例えば、静止画像の場合は１画面ごと、動画像の場合も１枚画面毎、音楽の場合は１小節毎等の小さな単位毎に記録する。」
（２）「【００４２】このとき、
出力データストリームは、図２に示すように、著作物データ中に、この著作物に関する著作権情報をもつ著作権ヘッダが記録される。この階層的構造を持つ著作権情報について説明する。著作権情報の階層図を図３に示す。図３の最下位階層にオリジナル階層があり、その上位に一次、二次、・・・・・、ｎ次、・・・、最終階層が存在する。
【００４３】
オリジナル階層には、この著作物が創作された時点の著作権情報が記録され、その後の改変、複製を行なった時点の著作物の著作権情報が上位階層に順次記録される。
【００４４】また、
各著作権情報の内容は、著作者の氏名、著作物の名称、著作権有効期限、著作年月日、著作者の生年月日、複製の是非のデータ、複製の対価のデータ、、種々の改変の是非のデータ、種々の改変の対価のデータ等が、考えられる。
　
　上記摘示事項を、図面とともに総合整理すると、刊行物１には以下の発明が記載されているものと認める。
「既存の著作物に改変を加えて製作された新たな著作物と 、
　著作物には創作された時点の著作権情報に加えて、
  改変を行った時点の著作物の著作権情報を記録する記録媒体であり、
　各著作権情報には複製の是非のデータが含まれ、
　著作物データが音楽の場合は１小節毎等の単位毎に、著作権情報を示す著作権ヘッダを記録する記録媒体。」（以下「刊行物１発明」という。）　
　
　また、同じく、原査定の拒絶の理由で引用された刊行物である特開２０００−３５６１号公報（以下「刊行物２」という。）は、オーディオディスクに関するものであって、具体的に、図面とともに以下の記載がある。
 （３）「【００７７】リニアＰＣＭのＡパックは２０４８バイト以下で構成され、その内訳は図３３に示すように１４バイトのパックヘッダとＡパケットにより構成されている。Ａパケットは１７、９又は１４バイトのパケットヘッダと、図３４に詳しく示すプライベートヘッダと、１ないし２０１１バイトのオーディオＰＣＭデータにより構成されている。
【００７８】プライベートヘッダは、図３４に示すように
・８ビットのサブストリームＩＤと、
・３ビットの保留領域と、
・５ビットのＵＰＣ／ＥＡＮ−ＩＳＲＣ（ユニバーサル・プロダクト・コード：Universal Product Code/ヨーロピアン・アーティクル・ナンバー・インターナショナル・スタンダード・レコーディング・コード：European Article Number-International Standard Recording Code）番号と、
・８ビットのＵＰＣ／ＥＡＮ−ＩＳＲＣデータと、
・８ビットのプライベートヘッダ長と、
・１６ビットの第１アクセスユニットポインタと、
・８バイトのオーディオデータインフォメーション（ＡＤＩ）と
・０〜８バイトのスタッフィングバイトにより構成されている。」
　
３．本願発明と刊行物１発明との対比・判断 
  ａ．刊行物１発明の「既存のディジタル著作物に改変を加えて製作された新たな著作物」は、本願発明の「少なくとも一つのオリジナルコンテンツに基づいて製作されたリメークコンテンツ」に相当する。
　ｂ．刊行物１発明の「著作物には創作された時点の著作権情報」は、本願発明の「オリジナルコンテンツに対するオリジナル著作権情報」に相当する。
　ｃ．刊行物１発明の「改変を行った時点の著作物の著作権情報」には「複製の是非のデータが含まれ」るから、本願発明の「リメークコンテンツを用いるための権限情報を示すリメーク著作権情報」に相当する。
　
　したがって、本願発明と刊行物１発明との〔一致点〕及び〔相違点〕は以下のとおりである。 
 　〔一致点〕　
「 少なくとも一つのオリジナルコンテンツに基づいて製作されたリメークコンテンツと、
前記オリジナルコンテンツに対するオリジナル著作権情報と、
前記リメークコンテンツに関するリメーク著作権情報とを含む書込み媒体。」の点。
　 〔相違点〕　
　本願発明では「リメークコンテンツは、オーディオデータが収容された少なくとも一つのオーディオパケットに書込まれ、前記オリジナル著作権情報及び前記リメーク著作権情報は前記リメークコンテンツに対するヘッダ情報を含むプライベートヘッダに書込まれる」とするのに対して、刊行物１発明には、この点について開示がない点。
　
４．当審の判断　
　上記相違点について検討する。
　刊行物２には、上記（３）の摘示記載及び対応する特に第３３図を参酌すると、オーディオディスクに、オーディデータ（リニアＰＣＭ）を格納する際に、オーディデータ（リニアＰＣＭ）を格納したリニアＰＣＭのパケットに対応するプライベートヘッダに著作権情報であるＩＳＲＣ番号を格納することが記載されている。
　そして、刊行物１発明とは、著作権情報を含むデジタルデータを記録媒体に記録する際の技術で共通するものであり、さらに、音楽データを記録媒体に書込む事においても共通する。してみると、刊行物１発明においても、オーディオデータを記録媒体に書込む際のフォーマットとして、オーディオデータを格納したオーディオパケットに対応するプライベートヘッダに著作権情報を書き込む構成を採用して、オリジナル著作権情報及び前記リメーク著作権情報をオーディデータが収容されたオーディパケットの対応するプライベートヘッダに書込むようにすることは当業者が容易に想到し得るものである。
　以上のとおりであるから、上記相違点についての判断を総合しても、本願発明の奏する作用効果は刊行物１から当業者が十分予想可能なものであって格別のものとは言えない。
　
 　よって、本願発明は、刊行物１発明及び刊行物２に記載された発明から当業者が容易に想到できるものである。
　
５．むすび　
 　以上のとおりであるから、本願請求項６に係る発明は、刊行物１及び刊行物２に記載された発明に基づいて当業者が容易に想到できたものであるから、特許法第２９条第２項の規定により特許を受けることができないものである。 
 　したがって、本願は、その余の請求項について論及するまでもなく、拒絶をすべきものである。 
　
　よって、結論のとおり審決する。